(57)【要約】移動通信環境(１４)に位置する移動機(１０)に対する新規アクセスポイントの選択を最適にするために、本発明は、移動機に対して、移動通信環境におけるハンドオーバを支援する方法を提供する。本発明は、ハンドオーバに関連し、かつ、その移動機(１０)のオペレーショナルコンテクストの観点から、ハンドオーバ決定メカニズムをプロアクティブにデプロイすることを提案する。このプロアクティブにデプロイされたハンドオーバ決定メカニズムは、次に、この移動機(１０)に対する新規アクセスポイントの決定に使用される。
2005536910.tif 000002
【特許請求の範囲】
【請求項１】
アクセスポイントを複数有する移動通信環境における移動機に対して一以上のハンドオーバを支援する方法において、
前記一以上のハンドオーバに関連し、かつ、オペレーショナルコンテクストに従うハンドオーバ決定メカニズムを、前記ハンドオーバを実行する前記移動通信環境のサブシステムに、プロアクティブにデプロイするステップと、
前記デプロイされたハンドオーバ決定メカニズムを使用して、一以上の新規アクセスポイントを前記移動機に対して決定するステップとを
有する方法。
【請求項２】
前記移動機の現在位置をオペレーショナルコンテクストと決定するステップをさらに有することを特徴とする請求項１に記載の方法。
【請求項３】
移動機の移動をオペレーショナルコンテクストとして予測するステップをさらに有することを特徴とする請求項２に記載の方法。
【請求項４】
前記移動機の移動を予測するステップが前記移動機の移動経路に関連していることを特徴とする請求項３に記載の方法。
【請求項５】
前記移動機の移動を予測するステップが、さらに、前記移動機の移動速度に関連していることを特徴とする請求項４に記載の方法。
【請求項６】
前記オペレーショナルコンテクストを、ハンドオーバ決定メカニズムのプロアクティブデプロイメントの時点あるいはその前に、前記移動機で実行されるアプリケーションのプロファイルとして決定するステップをさらに有することを特徴とする請求項１ないし５のいずれか一つに記載の方法。
【請求項７】
前記アプリケーションのプロファイルが、映像-、静止画像-、オーディオ-、テクスト-、及び、スピーチ-アプリケーションを含むグループと関連していることを特徴とする請求項６に記載の方法。
【請求項８】
前記アプリケーションのプロファイルが、インタラクティブ-、ポイントツーポイント-、単方向-及び、マルチポイント-アプリケーションを含むグループと関連していることを特徴とする請求項６に記載の方法。
【請求項９】
一以上の移動機ユーザのプロファイルとして、前記移動機のオペレーショナルコンテクストを決定するステップをさらに有することを特徴とする請求項１ないし８のいずれか一つに記載の方法。
【請求項１０】
一以上の候補アクセスポイントを前記ハンドオーバ決定メカニズムの入力として識別するステップをさらに有することを特徴とする請求項１ないし９のいずれか一つに記載の方法。
【請求項１１】
前記一以上の候補アクセスポイントが既存のハンドオーバメカニズムを使用して識別されることを特徴とする請求項１０に記載の方法。
【請求項１２】
前記候補アクセスポイントが動的基準に従ってランク付けされることを特徴とする請求項１０又は１１に記載の方法。
【請求項１３】
前記基準が信号強度、帯域幅、サポートするアプリケーション、サービスの質（quality of service）、ネットワークの使用量、電力消費量を含むグループから選択されることを特徴とする請求項１２に記載の方法。
【請求項１４】
前記ハンドオーバ決定メカニズムが前記移動通信環境でデプロイされることを特徴とする請求項１ないし１３のいずれか一つに記載の方法。
【請求項１５】
前記ハンドオーバ決定メカニズムが前記移動通信環境のサブシステムにデプロイされることを特徴とする請求項１４に記載の方法。
【請求項１６】
前記ハンドオーバ決定メカニズムが前記移動通信ネットワークの前記アクセスポイントにデプロイされることを特徴とする請求項１４に記載の方法。
【請求項１７】
前記ハンドオーバ決定メカニズムが前記移動機でデプロイされることを特徴とする請求項１ないし１６のいずれか一つに記載の方法。
【請求項１８】
前記ハンドオーバ決定メカニズムが前記移動通信環境のアクセスポイント、及び、前記移動機でデプロイされることを特徴とする請求項１ないし１７のいずれか一つに記載の方法。
【請求項１９】
前記一以上の新規アクセスポイントを前記移動機に対して決定することを達成するコードデータを転送することによって、前記ハンドオーバ決定メカニズムをデプロイするステップをさらに有することを特徴とする請求項１ないし１８のいずれか一つに記載の方法。
【請求項２０】
前記一以上の新規アクセスポイントに対して前記基準を転送することによって、前記ハンドオーバ決定メカニズムをデプロイするステップをさらに有することを特徴とする請求項１ないし１９のいずれか一つに記載の方法。
【請求項２１】
前記基準がデータ構造として記述されることを特徴とする請求項２０に記載の方法。
【請求項２２】
関連するものがない場合に、前記ハンドオーバ決定メカニズムをアンデプロイするステップをさらに有することを特徴とする請求項１ないし２１のいずれか一つに記載の方法。
【請求項２３】
前記移動機が携帯電話機、パーソナルデジタル機器、可搬型コンピュータ、あるいはこれらの複合機であることを特徴とする請求項１ないし２２のいずれか一つに記載の方法。
【請求項２４】
前記ハンドオーバが、ＧSM、ＰＤＣ、ＧPRS、PPP、HSCSD、WＬＡＮ、HＩＰerＬＡＮ、IrDa、Bluetooth、IS-４５、IS-９５、IMT-２０００標準規格を含むグループから選択された一つの標準規格にしたがっておこなわれることを特徴とする請求項１ないし２３のいずれか一つに記載の方法。
【請求項２５】
アクセスポイントを複数有する移動通信環境における移動機に対するハンドオーバ支援装置において、
一以上のハンドオーバに関連し、かつ、オペレーショナルコンテクストに従うハンドオーバ決定メカニズムを、プロアクティブにデプロイするためのプロアクティブデプロイメント部を
有するハンドオーバ支援装置。
【請求項２６】
前記デプロイされたハンドオーバ決定メカニズムを使用して、一以上の新規アクセスポイントを前記移動機に対して決定するためのアクセスポイント決定部をさらに有することを特徴とする請求項２５に記載のハンドオーバ支援装置。
【請求項２７】
前記コンテクスト決定部が、前記移動機の現在位置をオペレーショナルコンテクストとして決定するための位置付け部を有することを特徴とする請求項２５又は２６に記載のハンドオーバ支援装置。
【請求項２８】
前記コンテクスト決定部が、移動機の移動をオペレーショナルコンテクストとして予測するための位置予測部をさらに有することを特徴とする請求項２５ないし２７のいずれか一つに記載のハンドオーバ支援装置。
【請求項２９】
移動経路に従って、前記移動予測部が前記移動機の移動を予測することを特徴とする請求項２８に記載のハンドオーバ支援装置。
【請求項３０】
移動速度に従って、前記移動予測部が前記移動機の移動を予測することを特徴とする請求項２８又は２９に記載のハンドオーバ支援装置。
【請求項３１】
前記コンテクスト決定部が、前記オペレーショナルコンテクストを、ハンドオーバ決定メカニズムのプロアクティブデプロイメントの時点あるいはその前に、前記移動機で実行されるアプリケーションのプロファイルとして決定するためのアプリケーションプロファイル部をさらに有することを特徴とする請求項２５ないし３０のいずれか一つに記載のハンドオーバ支援装置。
【請求項３２】
前記アプリケーションプロファイル部が、映像-、静止画像-、オーディオ-、テクスト-、及び、スピーチ-アプリケーションを含むグループに関連するアプリケーションのプロファイルを決定することを特徴とする請求項３１に記載のハンドオーバ支援装置。
【請求項３３】
前記アプリケーションプロファイル部が、インタラクティブ-、ポイントツーポイント-、単方向-及び、マルチポイント-アプリケーションを含むグループに関連するアプリケーションのプロファイルを決定することを特徴とする請求項３１に記載のハンドオーバ支援装置。
【請求項３４】
前記コンテクスト決定部が、前記移動機のオペレーショナルコンテクストを一以上の移動機ユーザのプロファイルとして決定するためのユーザプロファイル部をさらに有することを特徴とする請求項２５ないし３３のいずれか一つに記載のハンドオーバ支援装置。
【請求項３５】
前記アクセスポイント決定部が、一以上の候補アクセスポイントを前記ハンドオーバ決定メカニズムの入力として識別するための候補アクセスポイント決定部を有することを特徴とする請求項２６ないし３４のいずれか一つに記載のハンドオーバ支援装置。
【請求項３６】
既存のハンドオーバメカニズムを使用して、前記候補アクセスポイント決定部が前記一以上の候補アクセスポイントを識別することを特徴とする請求項３５に記載のハンドオーバ支援装置。
【請求項３７】
動的基準に従って、前記候補アクセスポイント決定部が候補アクセスポイントをランク付けすることを特徴とする請求項３５又は３６に記載のハンドオーバ支援装置。
【請求項３８】
信号強度、帯域幅、サポートするアプリケーション、サービスの質、ネットワークの使用量、電力消費量を含むグループから選択された動的基準に従って、前記候補アクセスポイント決定部が候補アクセスポイントをランク付けすることを特徴とする請求項３７に記載のハンドオーバ支援装置。
【請求項３９】
前記コンテクスト決定部が、ハンドオーバ種別を選択するためのハンドオーバ種別決定部をさらに有することを特徴とする請求項２５ないし３８のいずれか一つに記載のハンドオーバ支援装置。
【請求項４０】
前記ハンドオーバ種別決定部がネットワーク支援ハンドオーバを選択することを特徴とする請求項３９に記載のハンドオーバ支援装置。
【請求項４１】
前記ハンドオーバ種別決定部が移動機支援ハンドオーバを選択することを特徴とする請求項３９に記載のハンドオーバ支援装置。
【請求項４２】
前記ハンドオーバ種別決定部がネットワーク支援ハンドオーバ／移動機支援ハンドオーバの組み合わせを選択することを特徴とする請求項３９に記載のハンドオーバ支援装置。
【請求項４３】
前記プロアクティブデプロイメント部が、前記一以上の新規アクセスポイントを前記移動機に対して決定することを達成するコードデータを転送することによって、前記ハンドオーバ決定メカニズムをデプロイすることを特徴とする請求項２５ないし４１のいずれか一つに記載のハンドオーバ支援装置。
【請求項４４】
前記プロアクティブデプロイメント部が、前記一以上の新規アクセスポイントに対して前記基準を転送することによって、前記ハンドオーバ決定メカニズムをデプロイすることを特徴とする請求項２５ないし４３のいずれか一つに記載のハンドオーバ支援装置。
【請求項４５】
前記プロアクティブデプロイメント部が、データ構造に従う前記基準を転送することを特徴とする請求項４４に記載のハンドオーバ支援装置。
【請求項４６】
関連するものがない場合に、前記プロアクティブデプロイメント部が、前記ハンドオーバ決定メカニズムをアンデプロイすることを特徴とする請求項２５ないし４５のいずれか一つに記載のハンドオーバ支援装置。
【請求項４７】
前記ハンドオーバが、ＧSM、ＰＤＣ、ＧPRS、PPP、HSCSD、WＬＡＮ、HＩＰerＬＡＮ、IrDa、Bluetooth、IS-４５、IS-９５、IMT-２０００標準規格を含むグループから選択された一つの標準規格にしたがって支援されることを特徴とする請求項２５ないし４０のいずれか一つに記載のハンドオーバ支援装置。
【請求項４８】
移動通信装置の内部メモリに直接ロードできるコンピュータプログラムであって、移動通信装置のプロセッサで実行されるときに、請求項１ないし２４のいずれか一つの方法の前記ステップを実行するソフトウェアコード部分を有するコンピュータプログラム。
【発明の詳細な説明】
【技術分野】
【０００１】
本発明は、ハンドオーバのための決定メカニズムの確立、特に、最適なハンドオーバのための決定メカニズムのプロアクティブデプロイメント（事前配置）に関する。
【背景技術】
【０００２】
ハンドオーバとは、移動機と移動通信環境のあるセルとの間で使用しているコネクションを、移動機の移動結果、言い換えるとユーザの移動の結果として、別のセルとのコネクションに自動的に転送する処理である。
この処理は、全体として、ハンドオーバの必要性を検出すること、及び、ユーザに対するディスターバンスを最小としながらトランザクションを移動通信環境のあるセルから別のセルに切り替えることが必要である。
【０００３】
以下、移動通信環境の種別に、すなわち、セル方式の移動電話ネットワーク、無線ＬＡＮ、ＰＤＣ等の種別に制約を課すことなく、移動通信環境の提供エリアが複数のセルに分割されていると仮定する。また、移動通信環境内に位置し、特に、その特定のセルに位置する移動機と移動通信環境との間の通信が、各セルの一以上のアクセスポイントによってサポートされていることも仮定する。
【０００４】
典型的な場合、移動通信環境内をローミングするとき、移動機は、移動通信環境の異なるセルを横切って移動する。ここで、どのアクセスポイントを選択するか決定するかということが課題となる。信号強度解析、あるいは、移動機の位置及び取り囲むアクセスポイントの点から利用できる無線リソースに基づく多数のアルゴリズムが、現在の技術水準として利用できる。たとえ、あるアクセスポイントで局所的測定がわずかに良いとしても、この決定が最良ではないかもしれない。例えば、移動機が列車内に位置する状況を考えることができる。このような場合、たとえ、短時間、別のアクセスポイントにより良くアクセスできるとしても、線路の近くに設置されたアクセスポイントにハンドオーバするほうが良いことは明らかである。
【０００５】
したがって、多くの場合、移動機の移動およびユーザのプリファレンス（関心）、例えば、移動機が自動車あるいは列車内に位置している場合、特定のセル及び移動通信環境の関連するアクセスポイントに移動機のルートが制約されるであろうことを考慮することによって、ハンドオーバを最適化できる。さらに、移動機プロファイルが、移動機が自動車に据え付けられているという情報を含んでいることもある。また、移動機の移動パターンが、列車でユーザが旅行していることを示唆することもある。
【発明の開示】
【発明が解決しようとする課題】
【０００６】
しかし、現在の技術水準でこれまで考慮されてこなかった主要課題は、ハンドオーバ決定が高速に実行されなければならないということである。それにもかかわらず、移動機プロファイル及び位置情報は、移動通信環境の中央サーバ装置でのみ利用できる。したがって、最適なハンドオーバ決定をおこなうにはこれらの情報の取り出しが遅すぎることがある。より悪いことに、ハンドオーバをしている間の無線状況が、これらの情報の交換ができなくなるほど悪いことがある。
【０００７】
上記観点から、本発明の課題は、移動通信環境中に位置している／ローミングしている移動機に対して、新規アクセスポイントを選択する最適なメカニズムを提供することである。
【課題を解決するための手段】
【０００８】
本発明によれば、この課題は、アクセスポイントを複数含む移動通信環境におけるアクセスポイントに対して一以上のハンドオーバを支援する請求項１の特徴を有する方法により達成される。この方法の第一のステップは、一以上のハンドオーバに関連し、かつ、オペレーショナルコンテクストに従う、ハンドオーバ決定メカニズムのプロアクティブデプロイメントからなる。次に、このハンドオーバ決定メカニズムは、一以上の新規アクセスポイントを移動機に対して決定するために使用される。
【０００９】
本発明によれば、オペレーショナルコンテクストは、ハンドオーバ決定メカニズムセットアップ時点で利用できるオペレーショナルコンテクスト、例えば、ユーザプロファイル及び／あるいはハンドオーバ時点あるいはそれ以前の動的動作条件に由来する動的オペレーショナルコンテクストとして理解できる。ハンドオーバ決定メカニズムセットアップ時点で利用できるコンテクストとプロアクティブにデプロイされたハンドオーバ決定メカニズムとの組合せにより、ハンドオーバ決定フレームワークをセットアップできる。
【００１０】
本発明に係る方法の重要な利点は、プロアクティビティである。したがって、ハンドオーバ決定がなされる前に、ハンドオーバ決定メカニズムがインストールされる。このプロアクティビティにより、ハンドオーバ決定がされなければならないときに、決定に関連する情報及びメカニズムがアクセスポイントで利用できないという状況を避けることができる。言い換えると、一以上のハンドオーバを支援する本発明に係る方法により、転送遅延あるいは狭い転送帯域幅によるボトルネックを避けることができる。
【００１１】
本発明に係る発明の重要な別の利点は、移動機のオペレーショナルコンテクストに関連してハンドオーバ決定メカニズムが提供されることである。言い換えると、時間が経つにつれ変化する移動機の動作条件に従ってハンドオーバ決定を成立させる際に、本発明により動的メカニズムが提供される。静的処理とは逆に、ハンドオーバ決定メカニズムのこの動的デプロイメントが、移動機の動作条件だけでなく移動通信環境の動作条件も含む両方の点でハンドオーバ決定を最適化するための必須条件である。
【００１２】
本発明に係る方法の重要な別の利点は、本発明が移動機に対する単一のハンドオーバ決定に制限されないこと、及び、オペレーショナルコンテクストが複数のハンドオーバ決定メカニズムを一つのアクセスポイントで時間内に取り扱うことに適しているならば、複数のハンドオーバ決定を扱うことができることである。この手法の全体としての利点は、移動通信環境を転送されるハンドオーバ決定に関連する情報の量が最小となるので、移動通信環境の転送負荷を縮減できることである。
【００１３】
本発明に係る一以上のハンドオーバを支援する方法の重要な別の利点は、ハンドオーバ決定メカニズムを送信できるアクセスポイントのエリア内に位置している限り、いかなるときにでも、プロアクティブデプロイメントが生じ得ることである。
【００１４】
本発明に係る一以上のハンドオーバを支援する方法の重要な別の利点は、プロアクティブデプロイメントが、ハンドオーバのためのアクセスポイントの最適化された決定に使用されるメカニズムの詳細に依存しないことである。
【００１５】
本発明の好適実施形態によれば、オペレーショナルコンテクストは、移動機の現在位置に関係している。移動機の移動を予測することによって、例えば、好ましくは移動機の移動速度を考慮した移動経路の予測によって、オペレーショナルコンテクストが導出されることが好ましい。典型的な場合、移動機の移動の予測では、移動機の現在位置をスタート位置として考慮する。
【００１６】
本発明のこの好適実施形態によれば、ハンドオーバが位置に依存して決定される。例えば、移動通信環境の転送負荷が高いあるサブエリアでは、さらに消費する帯域を最小とするように、ハードハンドオーバに適合するハンドオーバ決定メカニズムを使用することが好ましいであろう。逆に、移動通信環境の転送負荷の低い別のサブエリアでは、移動機及び複数のアクセスポイントの間でデータの転送を必要とし、結果として、利用できる広い帯域幅を必要とするソフトハンドオーバに適合したハンドオーバ決定メカニズムをデプロイすることが可能だろう。
【００１７】
この好適実施形態の重要な別の利点は、典型的な場合、移動機が移動通信環境内を移動することにある。移動のトポロジー及び移動速度が一度利用できるようになると、本発明に係るプロアクティブデプロイメントメカニズムによれば、好ましくないハンドオーバを避けることができる。
【００１８】
重要なので、この誤ったハンドオーバを避けることにより、移動通信環境での信号処理負荷が著しく減少することを明記しておく。この信号処理負荷は、非常に密集したエリア、例えば、首都圏で、特に重要となる.
【００１９】
さらに、ハンドオーバ決定メカニズムのプロアクティブデプロイメントは、ユーザの移動トポロジの点で、線路あるいは高速道路に沿って追加のアクセスポイントを配置する等の移動通信環境の効果的な拡張をサポートする。本発明に係るプロアクティブデプロイメントメカニズムによれば、これらの追加のアクセスポイントが移動通信環境に一度設置されれば、ハンドオーバが追加のアクセスポイントリソースに実際に行なわれることが保証される。
【００２０】
本発明の別の好適実施形態によれば、オペレーショナルコンテクストは、移動機で実行されるアプリケーションのプロファイルとして決定される。アプリケーションのプロファイルは、ハンドオーバメカニズムのプロアクティブデプロイメントの時点あるいはその前に決定される。オペレーショナルコンテクストとしてのアプリケーションプロファイルの決定は、位置 及び移動の予測のオペレーショナルコンテクストとしての.先の決定と、当然ながら結びついていることを明記しておく。
【００２１】
アプリケーションプロファイルの決定の基礎として、アプリケーションを、映像-、静止画像-、オーディオ-、テクスト-、及びスピーチ-アプリケーションに、あるいは、インタラクティブ-、ポイントツーポイント-、単方向-、マルチポイントー、あるいはアプリケーションに分類することができる。
【００２２】
アプリケーションのプロファイルをオペレーショナルコンテクストとして考慮することにより、複数の異なるアクセスポイント がハンドオーバ決定メカニズムに一度利用できると、移動機で動作しているアプリケーションを実際にサポートするこれらのアクセスポイントへのハンドオーバをおこなうことができるという重要な利点が生じる。典型例として、移動機がスピーチ及びデータサービスを使用することにより、スピーチサービスのみをサポートするアクセスポイントへのハンドオーバを避けることができる。アプリケーションのプロファイルを考慮することの全体としての利点は、ハンドオーバしている間の契約者に対するディスターバンスを最小にすることができることである。
【００２３】
本発明の別の好適実施形態によれば、移動機のオペレーショナルコンテクストは、移動機のユーザのプロファイルとして決定される。当然ながら、このオペレーショナルコンテクストは、位置／移動及びアプリケーションのプロファイルと関係する上述のオペレーショナルコンテクスト とも組み合わせることができる。
【００２４】
移動機のユーザ、言い換えると、移動通信環境の契約者、のプロファイルを考慮することの重要な利点も、不正確かつ、時間を消費し、リソースを消費する好ましくないハンドオーバを避けることができることにある。
【００２５】
その理由は、移動通信環境により提供される特定のサービス、例えば、スピーチ-及びデータサービスへのアクセス、についてのユーザのアクセス権を考慮することにより、このアクセス権に適合しないアクセスポイントへのハンドオーバを避けることができる。
【００２６】
ユーザのプロファイルに関係するオペレーショナルコンテクストは、ハンドオーバの決定がなされるずっと以前に、移動通信環境あるいは移動機にプロアクティブにデプロイすることができる。リソースの利用を最適とするために転送負荷が低い期間に行なうことが好ましい。
【００２７】
本発明の別の好適実施形態は、ハンドオーバ決定メカニズムの入力としてて供される候補アクセスポイントの選択と関係している。
【００２８】
好適実施形態によれば、支援するプリインストールされたハンドオーバメカニズムを使用して、一以上の候補アクセスポイントが識別される。
【００２９】
この好適実施形態の利点は、既存の移動通信環境インフラストラクチャにしなければならない修正を、すなわち、ネットワーク管理の他の全ての面をそのままにして、ハンドオーバ決定メカニズムのプロアクティブデプロイメントのインストールすることにより最小限で済ませることができる。ここで、既存のハンドオーバメカニズムの典型例では、信号強度測定及びアクセスポイントの選択に依存するメカニズムにより、移動機及びアクセスポイントの間で情報を交換するために最高レベルの信号強度が必要となる。
【００３０】
本発明の別の好適実施形態によれば、候補アクセスポイントは、動的基準に従ってランク付けされる。この基準には、例えば、信号強度、帯域幅、サポートするアプリケーション、ＱｏＳ、ネットワークの使用量、電力消費量などがある。
【００３１】
この好適実施形態の重要な利点は、ハンドオーバ決定メカニズムがプロアクティブにのみデプロイされるのではなく、移動機及び移動通信環境の両方について、既存のオペレーショナルコンテクストの点から、時間の経過により変化することができる。このことにより、移動通信環境で使用される移動機の種別及び利用できるアクセスポイントの種別への最適なアダプテーションが可能になる。例えば、ラップトップコンピュータ等の移動コンピュータ装置について、電力消費量、データ通信のためのＱｏＳあるいは利用できる帯域幅、及びサポートするデータトラフィックの種別が重要となる。一方、例えば、２Ｇ移動通信環境における、スピーチベースの単純なアプリケーションについては、 利用できる信号強度が、サービスの中断を避けるためにより重要である。
【００３２】
また、動的基準を使用することの重要な利点は、異なる基準の評価を、非常に柔軟におこなうことができることである。
【００３３】
第一オプションでは、適切な閾値を単純に持ち、各単一基準についてyes/noの決定をおこなう。
【００３４】
第二のオプションでは、このような厳格なyes/noの決定を避けて、異なる基準、例えば、予測された移動が移動機により実際に次に行なわれるであろう確率値、についての重み付け関数を使用する。次に、特定のアクセスポイントへのハンドオーバについての利点の全体としての値に結合することができる。
【００３５】
本発明の別の好適実施形態は、ハンドオーバ決定メカニズムがプロアクティブにデプロイされる場所についての質問に関係している。
【００３６】
第一好適実施形態によれば、ハンドオーバ決定メカニズムは移動通信環境にデプロイされる。好ましくは移動通信環境のサブシステム、例えば、基地局に、デプロイされる。
【００３７】
この好適実施形態は、特に、ハンドオーバがアクセスポイントによりガイドされる、いわゆるネットワーク支援ハンドオーバに関連している。この手法の利点は、移動機についての位置情報が移動通信環境で普通に利用でき、したがって、ハンドオーバ決定メカニズムと一緒にアクセスポイント、あるいはローカルアクセスポイント制御器に余分の労力なしに容易にダウンロードできることである。
【００３８】
移動通信環境でのハンドオーバ決定メカニズムのプロアクティブデプロイメントの別の利点は、ハンドオーバ決定メカニズムが複数のアクセスポイントでプロアクティブにデプロイされなければならないソフトハンドオーバに特に適していることである。
【００３９】
本発明の別の好適実施形態によれば、ハンドオーバ決定メカニズムは、移動機でデプロイされる。
【００４０】
この好適実施形態の利点は、移動機で動作しているアプリケーションに由来するオペレーショナルコンテクストに依存するハンドオーバ決定メカニズムにうまく適していることである。なお、関連するアプリケーションプロファイル情報のハンドオーバ決定メカニズムへの提供は、移動通信環境において情報の交換、及びそれに関連するハンドオーバ決定の遅延を必要としない。
【００４１】
本発明の別の好適実施形態によれば、ハンドオーバ決定メカニズムは、移動通信環境のアクセスポイント及び移動機の両方で、プロアクティブにデプロイされ得る。
【００４２】
本発明のこの好適実施形態は、移動通信ネットワークのアクセスポイントあるいは移動機におけるプロアクティブデプロイメントのすでに説明した利点を組み合わせている。すなわち、この好適実施形態は、アプリケーションプロファイルあるいはユーザプロファイルの提供に対して情報の交換を最小にしたソフトハンドオーバに適している。
【００４３】
さらに、この好適実施形態によれば、ハンドオーバ決定に関連する機能を移動通信環境のアクセスポイント及び移動機の間で分割することができる。移動通信環境に関連する機能がアクセスポイントでプロアクティブにデプロイされ、かつ、移動機におけるハンドオーバに関連する機能が移動機でプロアクティブにデプロイされる場合には、ハンドオーバ決定をおこなう信号トラフィックと続いてハンドオーバをおこなう信号トラフィックとを最小とすることができる。
【００４４】
別の好適実施形態は、上記概略を説明したように、ハンドオーバ決定メカニズムをプロアクティブにデプロイするメカニズムと関連する。
【００４５】
第一好適実施形態によれば、ハンドオーバ決定メカニズムは、ハンドオーバ決定機能を行なうコードデータを転送することによりプロアクティブにデプロイされる。
【００４６】
本発明のこの好適実施形態は、プログラムを、本発明では、ハンドオーバ決定メカニズムをおこなうためのコードデータを、アクティブネットワークに注入することによってネットワークをプログラミングすることができるアクティブネットワークに特に適している。このコードデータにより、アクティブネットワークでおこるハンドオーバ決定についての移動通信環境の状態と振る舞いとが修正される。
【００４７】
別の好適実施形態によれば、一以上の新規アクセスポイントについての基準の転送により、ハンドオーバ決定メカニズムがプロアクティブにデプロイされる。この基準を処理するハンドオーバ決定機能は、移動通信環境の適切なアクセスポイント、別のネットワークノード、あるいは移動機にすでにプリインストールされていると仮定している。このようにして、ハンドオーバ決定メカニズムのプロアクティブデプロイメントに必要な転送負荷を最小にできる。.
【００４８】
本発明の別の好適実施形態は、関連しなくなった時にハンドオーバ決定メカニズムをアンデプロイメントすることに関連している。.
【００４９】
すでに概略を説明したように、ハンドオーバ決定メカニズムのプロアクティブデプロイメントは、特定のオペレーショナルコンテクストの点で、最適なハンドオーバ決定を動的に行なうことを目的としている。オペレーショナルコンテクストは、時間の経過につれ連続的に変化するという事実の点で、ハンドオーバ決定メカニズムのアンデプロイメントによれば、ハンドオーバ決定を行なうために時間切れしたハンドオーバ決定メカニズムが使用されることが無いことが保証される。さらに、ハンドオーバ決定メカニズムのアンデプロイメントによれば、記憶に必要とされる料が最小となる。このことは、記憶リソースが限られている移動機でハンドオーバ決定メカニズムがプロアクティブにデプロイされる場合に、特に重要である。
【００５０】
移動機に対して一以上のハンドオーバを支援する本発明に係る方法についての上記概略説明と同様の利点は、移動通信環境における移動機に対してハンドオーバ支援する本発明に係る装置によっても得られるから、ここに繰り返さない。
【００５１】
本発明の別の好適実施形態は、移動通信装置のプロセッサで実行される時に本発明に係る処理を実行するソフトウェアコードポーションを含む、移動通信装置の内部メモリに直接ロードできるコンピュータプログラムと関連している。
【００５２】
したがって、本発明は、コンピュータ-あるいはプロセッサシステムへの、本発明に係る方法のステップの実装を提供する。つまり、この実装では、コンピュータシステムあるいは、より具体的には、例えば、移動通信環境のネットワークノードあるいは移動機が有するプロセッサとともに使用するために、コンピュータプログラムが提供される.
【００５３】
本発明の機能を規定するこのプログラムは、コンピュータ/プロセッサに、書き込みのできない記憶メディア、例えば、プロセッサあるいはコンピュータI/O付属物により読み取ることができる、ROM、CD-ROMディスク等のリードオンリー装置に永久に記憶された情報に限らず、書き込み可能な記憶メディア、すなわちフロッピー（登録商標）ディスク及びハードディスクドライブに記憶された情報、あるいは、ネットワーク、インターネット、モデムあるいは他のインターフェース装置を介した電話ネットワーク等の通信メディアによってコンピュータ/プロセッサに運ばれる情報を含む多様な形式で配送される。本発明に係る概念を実装するプロセッサが読み取ることができる命令をこのようなメディアが記憶されている場合には、これらのメディアが本発明の別の実施形態を示していると理解できる。
【００５４】
以下、図面を参照して、本発明を実施するベストモード及び関連する好適実施形態を説明する。
【発明を実施するための最良の形態】
【００５５】
以下、図を参照して、本発明の好適実施形態を説明する。
【００５６】
図１は、本発明の下敷きとなる基本概念を示す。移動機のハンドオーバは、大枠として、ハンドオーバ決定の準備、ハンドオーバ決定自体、及びそれに続くハンドオーバの実行とに分けられる。本発明の目的は、ハンドオーバ決定の準備及びハンドオーバ決定を実行するステップの柔軟性と効率を向上させるとともに、すでに確立しているハンドオーバ処理を越えることである。
【００５７】
以下、ハンドオーバ決定メカニズムのプロアクティブデプロイメント、コンテクスト決定の概念、及び、ハンドオーバ候補アクセスポイントの効率的決定について説明する。まず、図１ないし３に示す例を見ながら、本発明の基本原理を説明する。次に、図４ないし１３を参照して、実装上の問題について説明する。最後に、図１４ないし１６を参照して、本発明の適用シナリオを説明する。
【００５８】
図１に示すように、移動機１０が、移動通信環境１４のアクセスポイント１２のアクセスエリア内に位置するときに、ハンドオーバの状況が生じる。
【００５９】
追加されたアクセスポイント１６、及び１８が、アクセスポイント１２を囲み、移動機１０のハンドオーバのための候補アクセスポイントとなり得る。
【００６０】
本発明では、ハンドオーバの準備を高効率でおこなうために、移動機１０あるいはアクセスポイント１２のいずれかで、移動機プロファイル及び移動パターンに基づいて、ハンドオーバ決定メカニズムをプロアクティブにデプロイすることが提案されている。
以下詳述するように、ハンドオーバ決定メカニズムは、ハンドオーバ決定のための基準をリスト表示する表、あるいは、そのハンドオーバ決定の実行に使用することができる小プログラム／関数であってもよい。可能なアクセスポイント１６、１８が選ばれると、ハンドオーバ決定メカニズムは、予測された移動あるいは使用プリファレンスについて最良のアクセスポイントを決定する。
【００６１】
本発明では、アクセスポイント１２のエリア内に移動機が位置している限りいつでも、つまり、ハンドオーバ決定時点よりも前にすでに、プロアクティブデプロイメントが生じ得る。
【００６２】
本発明の別の重要な特徴は、移動機のオペレーションコンテクスト及び移動通信環境についての情報の決定に関するものである。このオペレーションコンテクストは、プロアクティブにデプロイされたハンドオーバ決定メカニズムに、ハンドオーバを最適とするための関連情報をフィードするための基礎となる。
【００６３】
オペレーションコンテクストの決定の代表例は、例えば、列車ルート、あるいは道路ルートの知識により、又は、例えばあるユーザが繰り返しある方面に旅行しているというユーザプロファイルの知識により、移動機の現在の移動パターンが検出されることである。他の例には、移動機が自動車あるいは列車に固定されているというユーザプロファイルや、例えばある特定の列車ルートで旅行すること知られているグループであるユーザが旅行するというグループプロファイルがある。
【００６４】
また、プロアクティブにデプロイされたハンドオーバ決定の効率的準備に関連した本発明の別の重要な特徴は、候補アクセスポイントの決定である。
【００６５】
ここで、例えば、ハンドオーバが差し迫っている場合の例は、移動機が、例えば、アクセスポイント１６、１８を解して利用できる信号強度等の、既存のメカニズムを使用して可能なアクセスポイントを候補アクセスポイントとして決定する。動的基準及びオペレーションコンテクスト情報を使用して、候補アクセスポイントがランク付けられることが好ましい。
【００６６】
オペレーションコンテクストとは別に、決定された候補アクセスポイントのグループは、最良の次のアクセスポイントの計算のための、プロアクティブにデプロイされたハンドオーバメカニズムの入力となる。
【００６７】
最後に、この新規アクセスポイント、例えば、アクセスポイント１６にハンドオーバが実行される。好ましくは、プロアクティブにデプロイされたハンドオーバ決定メカニズムはアンデプロイされる、すなわち、同等に消去される。新規アクセスポイント１６で、本発明に係るこの処理が繰り返される。
【００６８】
本発明に係るプロアクティブデプロイメント処理が、移動通信ネットワーク及び移動機の種別には依存していないことを明記しておく。代表的には、移動通信環境は、例えば、ＧSM、TDC、ＧPRS、PPP、HSCST、 WＬＡＮ、HＩＰerＬＡＮ、IrDa、Bluetooth、IS-４５、IS-９５、IMT-２０００標準規格を含むグループから選択された標準規格に従って動作すればよい。移動機は、例えば、電話、パーソナルデジタル機器、可搬型コンピュータ、あるいはこれらの複合機等、いかなる種別の移動装置であってもよい。
【００６９】
図２は、異なるサービスをアクセスポイントが提供する場合の、ハンドオーバ決定メカニズムのプロアクティブデプロイメントの下敷きとなる原理を示す。図１を参照してすでに説明した要素と同一のものには、同一の参照符号を付してある。
【００７０】
図２に示すハンドオーバ決定メカニズムのプロアクティブデプロイメントは異なる候補アクセスポイントが異なるサービス、例えば、スピーチ、オーディオ、映像、テクスト等を提供する場合に関係している。図１に示す候補アクセスポイントとは別に、これら候補アクセスポイント１６、１８とは異なるサービスを提供する追加された候補アクセスポイント２０、２２が、プロアクティブにデプロイされたハンドオーバ決定メカニズムへ入力される候補アクセスポイントとして存在していると仮定している。
【００７１】
ハンドオーバ決定を実行するために、ハンドオーバ決定メカニズムは、移動機で動作しているアプリケーションについての使用プロファイルの情報を使用して、最適な新規アクセスポイントを捜す。例えば、ユーザがデータサービスを大量に使用している場合、パケットデータ転送、例えば、WＬＡＮに関連したアクセスポイントがより好ましい。
【００７２】
図３は、本発明に係るハンドオーバ決定メカニズムのプロアクティブデプロイメントの別の例を示す。図１及び２を参照してすでに説明した要素と同一のものには、同一の参照符号を付してある。
【００７３】
図３に示すように、 ハンドオーバ決定メカニズムのプロアクティブデプロイメントは、異なる移動通信環境の間、あるいは移動通信環境のサブネットワークの間のいずれのネットワーク境界を横切るハンドオーバシナリオにも適用できる。
【００７４】
図３に示すように、ハンドオーバ決定メカニズムのプロアクティブデプロイメントは、異なる環境の間でハンドオーバ関連情報の交換が成立する限り、異なる移動通信環境の間のハンドオーバに同様に適用できる。
【００７５】
以下、図４ないし１０を参照して、本発明に係るハンドオーバ決定メカニズムのプロアクティブデプロイメントの詳細を説明する。
【００７６】
以上概略を説明したように、ハンドオーバ決定メカニズムのプロアクティブデプロイメントの本発明に係る方法は、プロアクティブ決定メカニズムを、移動通信環境の任意のネットワークノードあるいは移動機のいずれかへの転送に使用することができる。したがって、以下、ハンドオーバ決定メカニズムのプロアクティブデプロイメントの後、ハンドオーバ決定メカニズムを実行することになる各ネットワークノードあるいは移動機は、全体として、ハンドオーバ支援装置と称される。
【００７７】
図４は、本発明に係るハンドオーバ支援装置の模式図を示す。
【００７８】
図４に示すように、ハンドオーバ支援装置２４は、ハンドオーバ制御部２６とモビリティ管理部２８とを含む。
【００７９】
全体として、ハンドオーバ制御部２６は、移動機に対するハンドオーバ決定をおこない、一方、モビリティ管理部２８は、移動通信環境における信号発信及び物理層における通信リンクの適切な更新によってハンドオーバ決定を実装するようになっている。
【００８０】
図５は、図に４示すハンドオーバ制御部の詳細な模式図を示す。
【００８１】
図５に示すように、ハンドオーバ制御部２６は、ビーコン／測定部３０、プロアクティブデプロイメント部３２、及びアクセスポイント決定部３４を含む。
【００８２】
図６は、図４、５に示されたハンドオーバ制御部２６における基本動作フローを示すとともに、その中に含まれる関連サブユニットの動作を説明する。
【００８３】
図６に示すように、本発明の意味で最適なハンドオーバ決定メカニズムを実現する必須条件は、プロアクティブデプロイメント部３２によるハンドオーバ決定メカニズムのプロアクティブデプロイメントである（ステップＳ１０）。全体として、プロアクティブデプロイメントの前に、デプロイメントの時点で利用できるコンテクスト情報に従って、ハンドオーバ決定メカニズム がセットアップされる
以下、図７ないし９を参照して、プロアクティブデプロイメントの詳細を説明する。
【００８４】
ハンドオーバ決定メカニズムの種別に応じ、移動機のオペレーショナルコンテクストを決定するために、図６のステップＳ１２でコンテクスト決定部３４がアクティベートされる。プロアクティブにデプロイされるハンドオーバメカニズムの種別が、例えば、ビーコン／測定部３０での信号強度の決定に単純に依存し、オペレーショナルコンテクストの決定を無用のものとする種別でもあり得るという意味で、コンテクスト決定部３４のアクティベーションがオプショナルなものであることを明記しておく。この場合も本願発明によってカバーされることを明記しておく。
【００８５】
図６に示すように、次のステップＳ１４で、プロアクティブにデプロイされたハンドオーバ決定メカニズムの入力として一以上のアクセスポイントを移動機に対して決定するために、アクセスポイント決定部３６がアクティベートされる。
以下、図１２を参照して、この決定の詳細を説明する。
【００８６】
図６に示すように、最後に、ハンドオーバ実行後に関係がなくなると、プロアクティブデプロイメント部３２がステップＳ１６を実行して、ハンドオーバ決定メカニズムをアンデプロイする。例えば、ハンドオーバ決定メカニズムのプロアクティブデプロイメントが先にデプロイされたハンドオーバ決定メカニズムを上書きすることにより行われる場合には、このステップＳ１６はオプショナルであることを明記しておく。
【００８７】
以下、図７ないし１３を参照して、ハンドオーバ決定メカニズムのプロアクティブデプロイメントの詳細をさらに説明する。
【００８８】
図７は、決定メカニズムのプロアクティブデプロイメントについての第一オプション、移動機あるいは移動通信環境のネットワークノード、例えば、一以上の候補アクセスポイントへのコードデータのダウンロードによるオプションを示す。
【００８９】
図７に示すように、一つの手法は、ＩＰパケットが移動通信環境を進む時に、ＩＰパケットにプログラムフラグメントを埋め込むことを支援するＩＰオプションメカニズムの拡張を備えたＩＰv４/ＩＰv６ プロトコルを使用するものである。
【００９０】
図７に示すように、プロアクティブデプロイメントの後に実行されるコードデータが統合できるようになるアクティブオプション４０により、データパケット３８が拡張される。
【００９１】
言い換えると、図７に示す方法は、データパケットがコードを実行するために必要となるデータ、例えば、オペレーショナルコンテクストに関連するデータを伴ってコードを搬送するという点で、インバンド手法を記述している。
【００９２】
図７に示すように、アクティブオプション４０は、コードデータの分類に使用できるアクティブオプションの種別、ペイロードデータ長を規定する長さ変数４４、及びコードデータ４６に分割される。
【００９３】
コードデータのダウンロードは、特に、ネットワークノード、例えば、アクセスポイント上を流れるデータについての計算をformすることができる、アクティブネットワークの概念に適合していることを明記しておく。ハンドオーバ決定メカニズムをコードデータとして移動通信環境の関係する位置あるいは移動機にプロアクティブにデプロイすることにより、上位通信環境を「プログラムする」ことができる。
【００９４】
さらに、アクティブオプション４０によって与えられるコードデータの種別について特定の制約がなく、したがって、本発明のフレームワークの中で任意の種別のハンドオーバのスタイルを自由に支援できることを明記しておく。
【００９５】
図８は、表形式データ構造の転送と関連する、ハンドオーバ決定メカニズムのプロアクティブデプロイメントの別の手法を示す。
【００９６】
図８に示すように、ハンドオーバメカニズムのプロアクティブデプロイメントは、例えば、表になっているハンドオーバ決定基準、例えば、信号強度、帯域幅、及び、移動機のオペレーショナルコンテクストの決定のためのオプションをダウンロードすることによっても実現できる。さらにダウンロードデータは、閾値、例えば、信号強度についての閾値TS及び帯域幅についての閾値TBと関連している。
【００９７】
第一オプションでは、この表形式ハンドオーバ決定メカニズムデータが、移動機あるいは移動通信環境一以上のアクセスノードのいずれかにプリインストールされた機能に、プロアクティブにデプロイされる。表形式でリストされるこの基準がハンドオーバ決定の実行のために使用される.
【００９８】
別のオプションでは、表形式の動的ハンドオーバ決定基準が、この基準を処理する関連機能と伴に、例えば、図７に示される本発明に係る概念を使用して、プロアクティブにデプロイされる。この場合、ＩＰパケットのペイロードデータが動的ハンドオーバ基準を搬送することができる。一方、アクティブオプションが動的ハンドオーバ基準を処理するための関連コードデータを搬送する。
【００９９】
図８に示すように、ハンドオーバ決定メカニズムのプロアクティブデプロイメントが一度実行されると、候補となるアクセスポイントAP１ないしAP４の集合にプロアクティブデプロイメントを適用することができる。なお、次の説明は例示としてのみあることを明記しておく。
【０１００】
図８に示すように、候補となるアクセスポイントAP１ないしAP４の集合の各々について、ハンドオーバ基準表にリストされた異なる基準を適用することができる。この結果、例えば、アクセスポイントAP１及びAP３では、信号強度が所定の閾値TSを越えているが、アクセスポイントAP２及びAP４では超えていない。さらに、ハンドオーバ決定メカニズムを適用した結果、アクセスポイントAP１及びAP３では、利用できる帯域幅が閾値TBよりも広いが、アクセスポイントAP２及びAP４では広くない。
【０１０１】
図８に示すように、位置予測に関連する別の基準がある。なお、本発明では、異なるアクセスポイントAP１ないしAP４に対して優先度を適用することを提案する。より詳細には、候補アクセスポイントAP１ないしＡＰ４のそれぞれに対して、移動機についての移動ルートに沿った位置予測に適合しているか否かが評価される。
【０１０２】
図８に示す例では、アクセスポイントAP１及びAP２に対する優先度、すなわち、P１及びP２の値が低く、また残るアクセスポイントAP３及びAP４に対する優先度P３及びP４が高いと仮定している。
【０１０３】
図８の最下行に、この場合に、プロアクティブにデプロイされたハンドオーバ決定メカニズムの実行結果が示されている。
【０１０４】
優先度の低い値によって示されているように、移動機の予測された移動ルートのあまり近くにアクセスポイントＡＰ１が位置していないので、アクセスポイントAP１は脱落する。所望のサービスの質を得るために十分な信号強度も帯域幅もないので、アクセスポイントAP２は脱落する。この結果、アクセスポイントAP１及びAP２は、ハンドオーバについて考慮されない、また、プロアクティブにデプロイされたハンドオーバ決定メカニズムはおそらくアンデプロイされる。しかし、このステップはオプショナルである。
【０１０５】
図８に示すように、ハンドオーバの別の候補は、アクセスポイントAP３及びAP４である。信号強度が低レベルで、かつ帯域幅が制限されているので、しばらくの間は、アクセスポイントAP４を考慮しない。しかし、このアクセスポイントAP４は、位置予測についてのより高い優先度の値を有している、言い換えると、今後の移動機の移動の間に、このアクセスポイントがハンドオーバに最適の候補となる可能性が高いといえる。この理由から、移動機がさらに移動することが期待されるときに、このアクセスポイントAP４について、ハンドオーバ決定メカニズムのプロアクティブデプロイメントが起動される。
【０１０６】
図８に示すように、このアクセスポイントＡＰ３で十分な信号強度及び帯域幅が利用でき、かつ、優先度の高い値で示されるようにこのアクセスポイントが位置予測に適合しているので、４候補に対して、最終的にアクセスポイントAP３へのハンドオーバがおこなわれる。
【０１０７】
図８に示すプロアクティブデプロイメント手法の別の変形は、基準の処理である。
【０１０８】
図８では、特に、信号強度及び帯域幅の処理が専用の yes/no決定につながっている。本発明では、これらの基準に重み付け関数を適用することもできる。言い換えると、所定の閾値の点を厳密に決定する必要はなく、本発明に係る動的基準には任意の重み付け関数をうまく適用できる。
【０１０９】
図９は、デシジョン・ツリーのプロアクティブデプロイメントに依存する、ハンドオーバ決定メカニズムの本発明に係るプロアクティブデプロイメントの別の手法を示す。
【０１１０】
図９に示す手法を使用して、デシジョン・ツリーをルートノードからリーフノードに辿ることによって、ハンドオーバ決定が実行される。この移動の間は、特定のアクセスポイント、例えば、アクセスポイントAPiへのハンドオーバをおこなうか否かを決定する前に、信号強度及び位置予測との適合性等の異なる基準が考慮される。ハンドオーバしない場合は、落とされたアクセスポイント APi とは異なるアクセスポイント APj へのハンドオーバのために、ルートノードまでこの決定が遡ることがある。
【０１１１】
以上、図７ないし９を参照して、ハンドオーバ決定メカニズムのプロアクティブデプロイメントの異なる実施形態、及びハンドオーバ決定メカニズムの異なる種別を説明した。以下、図１０ないし１２を参照して、オペレーションコンテクストの決定及びアクセスポイントの決定に関連する異なる実施形態を説明する。
【０１１２】
図１０は、図４、５に示すハンドオーバ制御部の詳細な模式図を示す。
【０１１３】
図１０に示すように、ハンドオーバ制御部２６のコンテクスト決定部３４は、移動機１０及び移動通信環境１４のオペレーションコンテクストに関する情報を生成する。具体的には、コンテクスト決定部３４は、位置決め部６０、位置予測部６２、アプリケーションプロファイル部６４、ユーザプロファイル部６６、及びハンドオーバ種別決定部６８を含む。
【０１１４】
位置決め部６０は、移動通信環境における移動機の位置を決定する。この位置の決定は、移動通信環境で利用できる情報の使用によって、例えば、移動機が現在位置しているセルのセルＩＤを使用しておこなうことができる。また、使用全地球測位システム、例えば、ＧPS等、を使用することもできる。この使用は、移動機が移動通信環境及び衛星ベース位置決めシステムの両方に接続するのに役に立つ。
【０１１５】
さらに、位置予測部６２は、ユーザプロファイル情報に基づいて、あるいは、移動機が繰り返し特定のルートを通るという情報に基づいて、移動通信環境における移動機の移動を予測する。位置予測部６２の動作の別のオプションは、情報の提供を求めて、位置決めシステム、例えば、ＧPSとのデータ交換である。
【０１１６】
さらに、アプリケーションプロファイル部６４は、移動機で動作しているアプリケーション、例えば、データサービス、スピーチサービス、ボイスサービス、 映像サービス、マルチメディアサービス 全般、等のプロファイルを決定する。
【０１１７】
さらに、ユーザプロファイル部６６は、ユーザのプロファイル、例えば、ユーザの所定の移動パターン、異なるサービスへのユーザのアクセス権、等を決定する。ユーザプロファイル部６６は、移動機のローカルストレージあるいは移動通信環境へのリモートアクセスによって実現することができる.
【０１１８】
さらに、ハンドオーバ種別決定部６８は、ハンドオーバ種別の決定に関連している。なお、ハンドオーバ種別決定部６８のアクティベーションはオプショナルであることを明記しておく。ハンドオーバの種別の第一のオプションは、移動機支援ハンドオーバである。ハンドオーバ種別の別のオプションは、ネットワーク支援ハンドオーバである。ハンドオーバ種別の第三のオプションは、ハンドオーバ機能の一部がネットワークノード、例えば、アクセスノードにより提供され、その機能の一部が移動機にある、ハイブリッド型ハンドオーバである。ハイブリッドハンドオーバは、特に、ソフトハンドオーバに適している。
【０１１９】
図１０は、上述のコンテクスト決定部３４のサブユニットとは別に、アクセスポイント決定部３６のサブコンポーネントも示している。
【０１２０】
上述のコンテクスト決定を変形して、コンテクスト決定部を複数アクティベートする、すなわち、プロアクティブデプロイメント時点及びハンドオーバ決定時点にアクティベートするように、あるいは二以上のコンテクスト決定部を提供、一方は移動機で、他方は移動通信環境で提供するようにしてもよい。
【０１２１】
第１の変形は、プロアクティブデプロイメントの時点ですでに、コンテクスト情報が生成されていて、ハンドオーバ決定メカニズムのセットアップに使用されるという点で有用である。
【０１２２】
第２の変形は、コンテクスト情報が利用できる位置でコンテクスト情報の生成を支援するという点で有利である。
【０１２３】
時間にわたった、あるいは、異なる位置での複数のコンテクスト生成を組み合わせることが、当然できることを明記しておく。
【０１２４】
図１０に示すように、アクセスポイント決定部３６は、候補アクセスポイント決定部７０、及びアクセスポイントランク付け部７２を含む。
【０１２５】
候補アクセスポイント決定部７０は、例えば、信号強度の測定及びビーコン／測定部３０等の測定等の新規アクセスポイントを識別する既存の方法を使用して、一以上の候補アクセスポイントを決定する。
【０１２６】
さらに、アクセスポイントランク付け部７２は、識別された候補アクセスポイントにランク付けするためにアクティベートされる。重要であるので、本発明によれば、このようなランク付けに、例えば、信号強度、帯域幅、ＱｏＳ、パケット交換 or 回線交換等のトラフィック種別、電力消費量、ネットワーク負荷、等の動的基準を使用することができることを明記しておく。
【０１２７】
以下、図１１を参照して、コンテクスト決定部３４の異なるサブユニットの協調動作について説明する。
【０１２８】
図１１に示すように、まず移動機の現在位置が、オプションとして移動経路及び移動速度が決定される（ステップＳ２０）。次に、追加のコンテクスト情報を必要とするか決定する（ステップＳ２２）。必要としなければ、コンテクスト決定部の処理を停止する。必要とする場合は、移動機でアクティベートされるアプリケーションのプロファイルが決定される（ステップＳ２４）。続いて、追加のコンテクスト情報が必要か否か決定される（ステップS２８）。必要でなければ、コンテクスト決定部３４の動作が終了する。必要な場合は、移動機ユーザのプロファイルが決定される（ステップＳ３０）。続いて、ハンドオーバの種別が選択されているか否か判断される（ステップS３２）。選択されていなければ、コンテクスト決定部３４の動作を終了する。選択されている場合は、ネットワーク支援、 移動機支援、あるいはソフトハンドオーバの間で選択が行なわれる（ステップＳ３４）。
【０１２９】
図１１に示すフローチャートは、コンテクスト決定部３４の異なるサブユニット及び関連するステップは、本発明の下でハンドオーバを最適するために必要なコンテクスト情報の種別及び量に依存して、自由に組み合わせることができることを意味している。
【０１３０】
図１２は、アクセスポイント決定部３６の動作フローチャートを示す。
【０１３１】
図１２に示すように、まず、典型的な場合、既存のハンドオーバメカニズムを使用して、一以上の候補アクセスポイントが決定される（ステップＳ４０）。続いて、候補となるアクセスポイントのランク付けが必要とされるか決定される（ステップS４２）。必要としなければ、アクセスポイント決定部３６の動作は終了する。必要とする場合、候補アクセスポイントのランク付けがおこなわれる（ステップ Ｓ４４）。
【０１３２】
以上概略を述べてきたように、本発明の重要な点は、例えば、信号強度、帯域幅、ＱｏＳ、パケット交換あるいは回線交換トラフィック等の利用できるトラフィック種別、電力消費量、ネットワーク負荷、等の、ランク付けについての動的基準の使用である。動的基準の種別は、ハンドオーバの実行により変化することを明記しておく。
【０１３３】
オペレーションコンテクスト及び候補アクセスポイントの集合がハンドオーバ決定のためのフレームワークとして一度決定すると、次のステップで、ハンドオーバが実際におこなわれる。このステップは、図４に示すモビリティ管理部２８で実行される。
【０１３４】
図１３は、モビリティ管理部２８の詳細な模式図を示す。
【０１３５】
図１３に示すように、モビリティ管理部２８は、セッションリルーティング部７４、無線転送部７６、移動登録部７８、及びモビリティ状態部８０を含む。
【０１３６】
セッションリルーティング部７４は、新規アクセスポイントを介して移動機との間でデータを交換するために、アクセスネットワークにおけるデータ経路を制御する。セッションのリルーティングは、アドミッション制御及び無線帯域のリソースを取り扱うためのＱｏＳアダプテーションを含むようにしてもよい。
【０１３７】
さらに、無線転送部７６は、異なる無線チャネルの間でアクティブセッションを転送するために、移動機及びアクセスポイントにおいて、物理層及びデータリンク層とのインタラクションをおこなう。なお、チャネル切り替えは、層の種別に応じて、新規タイムスロット、新規周波数帯、新規コードワード、あるいは新規論理識別子によりおこなわれる。
【０１３８】
さらに、移動登録部７８は、移動機の状態情報を取り扱い、ハンドオーバ実行時に、移動通信ネットワークとこの状態情報を交換する。
【０１３９】
さらに、モビリティ状態部８０は、移動機のコレクティビティに関する情報、アドレス情報、ルーティング情報、帯域幅を保持する。
【０１４０】
以下、図１４ないし１６を参照して、本発明に係るプロアクティブデプロイメントメカニズムの異なる適用シナリオを説明する。
【０１４１】
図１４は、複数の移動機に対するパケット交換接続及び回線交換接続のいずれもサポートする移動通信ネットワーク８２に関連する適用シナリオを示す。
この例として、ポケットベル８４、移動映像電話機８６、及び可搬型パームサイズコンピュータ８８、９０がある。
【０１４２】
図１４に示すように、パームサイズコンピュータから移動通信ネットワーク８２に接続する方法は、直接のパケット交換接続あるいは移動電話９２を介したもののいずれであってもよい。移動電話は、例えば、無線通信用ＭｏｂｉｌｅInternetプロトコルを使用して、移動通信ネットワーク８２あるいは別のローカルエリアネットワークＬＡＮ ９４のいずれかへの無線通信を介してこの接続をおこなう。
【０１４３】
図１４に示す別の適用は、移動通信ネットワーク８２に接続することができる移動オフィス９６のサポートである。
【０１４４】
図１４に示す適用シナリオから、本発明に係るプロアクティブデプロイメント概念の適用が、種々の通信ネットワーク、すなわち、移動通信ネットワーク８２、ローカルエリアネットワークＬＡＮ ９４、あるいはローカルエリアネットワークＬＡＮ ９６の関連アクセスポイントにプロアクティブデプロイメントメカニズムが適用されている限り、移動機の種別あるいは移動通信環境の種別に制約されないことは明らかである。
【０１４５】
さらに、図１４は、サポートされるアプリケーションの種別について制限がないことも示している。したがって、インターネットサービス、PCネットワークサービス、 ISDN/BISDNサービス、あるいは、エージェント通信サービスに関して、ハンドオーバ決定のプロアクティブデプロイメントが実現できる。
【０１４６】
図１５は、セル方式の移動通信ネットワークにおける、ハンドオーバ決定メカニズムのプロアクティブデプロイメントに関連する適用シナリオをさらに示す。
【０１４７】
図１５に示すように、ハンドオーバ決定メカニズムについての本発明に係るプロアクティブデプロイメントメカニズムの適用の別のオプションには、乗物、例えば自動車９８からの移動通信がある。
【０１４８】
代表的なシナリオは、移動通信ネットワークの提供エリア内で、ルート１０６に沿って異なる基地局１００、１０２、及び１０４の間を自動車が移動するというものである。
【０１４９】
本発明に係るハンドオーバ決定メカニズムのプロアクティブデプロイメントの適用は、二以上の基地局によりカバーされている位置１０８に自動車９８が位置している場合に特に適している。
【０１５０】
言い換えると、基地局１００、１０２、及び１０４の提供エリアの境界線１００Ｂ、１０２Ｂ、及び１０４Ｂが、自動車９８の位置１０８が位置することになるかもしれない、交差を形成する。
【０１５１】
以上概略を説明したように、このような状況では、基地局１０２あるいは１０４のいずれかへのハンドオーバを別途考慮する、自動車９８の移動予測が特に重要である。自動車９８のルート１０６が境界線１０４Ｂの内部で進んでいるから、基地局１０４にハンドオーバしたほうが良い。
【０１５２】
ハンドオーバ決定メカニズムのプロアクティブデプロイメントにより、ハンドオーバ決定を適正な時点におこなうための関連メカニズムを確立できる。したがって、自動車９８が特定の速度で移動していると仮定すると、プロアクティビティによる加速により、ハンドオーバを適切に決定することができる。
【０１５３】
さらに、ハンドオーバ決定のプロアクティブデプロイメントは、自動車９８内の移動機に、あるいは基地局１００、１０２、１０４の基地局制御器におこなうことができる。.
【０１５４】
図１６は、Ｍｏｂｉｌｅ ＩＰ通信環境に関連するハンドオーバ決定メカニズムのプロアクティブデプロイメントのための別の適用シナリオを示す。
【０１５５】
図１６に示すように、ＩＰベースの移動通信環境の例は、ゲイトウェイ１１４、１１６及び１１８を介して接続されたセル方式の２つのＩＰネットワーク１１０、１１２、及び、ホームエージェント１２２とＭｏｂｉｌｅ ＩＰプロトコルが可能なインターネットワーク１２０を含む。ホームエージェント１２２は、移動機で動作しているサービスをサポートするホスト１２４を介して移動機にアクセスするために、ＩＰアドレスを適切なゲイトウェイに渡す。
【０１５６】
図１６に示す適用シナリオは、本発明のプロアクティブデプロイメントが、単一移動通信環境内の内部ハンドオーバのみに適用できるのではなく、インターネットワークを介するこの移動通信環境１１０及び１１２の２つの間の"アクセス"ハンドオーバ及び関連する"エントリ"ハンドオーバにも適用できることを示している。
【０１５７】
さらに、本発明に係るプロアクティブデプロイメントは、Mobile ＩＰプロトコルが可能なインターネットワーク１２０におけるインターゲイトウェイハンドオーバ決定にも適用できる。この場合、ハンドオーバ決定メカニズムのプロアクティブデプロイメントに適したネットワークノードは、ホームエージェント１２２である。
【０１５８】
以上、特定の実施形態を参照して本発明の異なる特徴を説明してきた。しかし、これらの特徴を自由に組み合わせて本発明をさらに修正あるいは変形することができることは明らかである。さらに、プロアクティブデプロイメント関連機能は、ソフトウェア、ハードウェア、あるいはその組み合わせのいずれでも実現できる。したがって、発明の範囲は添付の特許請求の範囲のみにより決定される。
【図面の簡単な説明】
【０１５９】
【図１】本発明に係るハンドオーバ決定メカニズムのプロアクティブデプロイメントの下敷きとなる基本概念を示す。
【図２】本発明に係るハンドオーバ決定メカニズムのプロアクティブデプロイメントの下敷きとなる概念をさらに示す。
【図３】インターネットワークに関連するハンドオーバへの、ハンドオーバ決定メカニズムのプロアクティブデプロイメントの適用を示す。
【図４】本発明に係るハンドオーバ支援装置の模式図を示す。
【図５】図４に示すハンドオーバ制御部４の模式図を示す。
【図６】図４、５に示すハンドオーバ支援装置で実行される動作のフローチャートを示す。
【図７】コードデータの転送による、ハンドオーバ決定メカニズムプロアクティブデプロイメントを示す。
【図８】表形式の決定基準の転送による、ハンドオーバ決定メカニズムプロアクティブデプロイメントを示す。
【図９】デシジョン・ツリー形式の決定基準の転送による、ハンドオーバ決定メカニズムプロアクティブデプロイメントを示す。
【図１０】図５に示すハンドオーバ制御部の詳細な模式図を示す。
【図１１】本発明に係るオペレーションコンテクスト関連情報を決定するためのフローチャートを示す。
【図１２】フローチャート for本発明に係るハンドオーバ決定メカニズムのデプロイメントのためのフローチャートを示す。
【図１３】図４に示すモビリティ管理部４の詳細な模式図を示す。
【図１４】本発明に係る決定メカニズムの移動通信環境へのプロアクティブデプロイメントの第一適用例を示す。
【図１５】本発明に係る決定メカニズムの移動通信環境へのプロアクティブデプロイメントの第ニ適用例を示す。
【図１６】本発明に係る決定メカニズムの移動通信環境へのプロアクティブデプロイメントの第三適用例を示す。
【図１】
2005536910.tif 000003
【図２】
2005536910.tif 000004
【図３】
2005536910.tif 000005
【図４】
2005536910.tif 000006
【図５】
2005536910.tif 000007
【図６】
2005536910.tif 000008
【図７】
2005536910.tif 000009
【図８】
2005536910.tif 000010
【図９】
2005536910.tif 000011
【図１０】
2005536910.tif 000012
【図１１】
2005536910.tif 000013
【図１２】
2005536910.tif 000014
【図１３】
2005536910.tif 000015
【図１４】
2005536910.tif 000016
【図１５】
2005536910.tif 000017
【図１６】
2005536910.tif 000018
【手続補正書】
【提出日】平成16年5月26日(2004.5.26)
【手続補正１】
【補正対象書類名】特許請求の範囲
【補正対象項目名】全文
【補正方法】変更
【補正の内容】
【特許請求の範囲】
【請求項１】
アクセスポイントを複数有する移動通信環境における移動機に対して一以上のハンドオーバを支援する方法において、
オペレーショナルコンテクストを、ハンドオーバ決定メカニズムのプロアクティブデプロイメントの時点あるいはその前に、前記移動機で実行されるアプリケーションのプロファイルとして決定するステップと、
前記一以上のハンドオーバに関連し、かつ、オペレーショナルコンテクストに従うハンドオーバ決定メカニズムを、前記ハンドオーバを実行する前記移動通信環境のサブシステムに、プロアクティブにデプロイするステップと、
前記デプロイされたハンドオーバ決定メカニズムを使用して、一以上の新規アクセスポイントを前記移動機に対して決定するステップとを
有する方法。
【請求項２】
前記移動機の現在位置をオペレーショナルコンテクストと決定するステップをさらに有することを特徴とする請求項１に記載の方法。
【請求項３】
前記移動機の移動をオペレーショナルコンテクストとして予測するステップをさらに有することを特徴とする請求項２に記載の方法。
【請求項４】
前記移動機の移動を予測するステップが前記移動機の移動経路に関連していることを特徴とする請求項３に記載の方法。
【請求項５】
前記移動機の移動を予測するステップが、さらに、前記移動機の移動速度に関連していることを特徴とする請求項４に記載の方法。
【請求項６】
前記アプリケーションのプロファイルが、映像-、静止画像-、オーディオ-、テクスト-、及び、スピーチ-アプリケーションを含むグループと関連していることを特徴とする請求項１に記載の方法。
【請求項７】
前記アプリケーションのプロファイルが、インタラクティブ-、ポイントツーポイント-、単方向-及び、マルチポイント-アプリケーションを含むグループと関連していることを特徴とする請求項１に記載の方法。
【請求項８】
一以上の移動機ユーザのプロファイルとして、前記移動機のオペレーショナルコンテクストを決定するステップをさらに有することを特徴とする請求項１ないし７のいずれか一つに記載の方法。
【請求項９】
一以上の候補アクセスポイントを前記ハンドオーバ決定メカニズムの入力として識別するステップをさらに有することを特徴とする請求項１ないし８のいずれか一つに記載の方法。
【請求項１０】
前記一以上の候補アクセスポイントが既存のハンドオーバメカニズムを使用して識別されることを特徴とする請求項９に記載の方法。
【請求項１１】
前記候補アクセスポイントが動的基準に従ってランク付けされることを特徴とする請求項９又は１０に記載の方法。
【請求項１２】
前記基準が信号強度、帯域幅、サポートするアプリケーション、サービスの質（quality of service）、ネットワークの使用量、電力消費量を含むグループから選択されることを特徴とする請求項１１に記載の方法。
【請求項１３】
前記ハンドオーバ決定メカニズムが前記移動通信ネットワークの前記アクセスポイントにデプロイされることを特徴とする請求項１に記載の方法。
【請求項１４】
前記ハンドオーバ決定メカニズムが前記移動機でデプロイされることを特徴とする請求項１に記載の方法。
【請求項１５】
前記ハンドオーバ決定メカニズムが前記移動通信環境のアクセスポイント、及び、前記移動機でデプロイされることを特徴とする請求項１に記載の方法。
【請求項１６】
前記一以上の新規アクセスポイントを前記移動機に対して決定することを達成するコードデータを転送することによって、前記ハンドオーバ決定メカニズムをデプロイするステップをさらに有することを特徴とする請求項１ないし１５のいずれか一つに記載の方法。
【請求項１７】
前記一以上の新規アクセスポイントに対して前記基準を転送することによって、前記ハンドオーバ決定メカニズムをデプロイするステップをさらに有することを特徴とする請求項１ないし１６のいずれか一つに記載の方法。
【請求項１８】
前記基準がデータ構造として記述されることを特徴とする請求項１７に記載の方法。
【請求項１９】
関連するものがない場合に、前記ハンドオーバ決定メカニズムをアンデプロイするステップをさらに有することを特徴とする請求項１ないし１８のいずれか一つに記載の方法。
【請求項２０】
前記移動機が携帯電話機、パーソナルデジタル機器、可搬型コンピュータ、あるいはこれらの複合機であることを特徴とする請求項１ないし１９のいずれか一つに記載の方法。
【請求項２１】
前記ハンドオーバが、GSM、PDC、GPRS、PPP、HSCSD、WLAN、HiperLAN、IrDa、Bluetooth、IS-45、IS-95、IMT-2000標準規格を含むグループから選択された一つの標準規格にしたがっておこなわれることを特徴とする請求項１ないし２０のいずれか一つに記載の方法。
【請求項２２】
アクセスポイントを複数有する移動通信環境における移動機に対するハンドオーバ支援装置において、
オペレーショナルコンテクストを、ハンドオーバ決定メカニズムのプロアクティブデプロイメントの時点あるいはその前に、前記移動機で実行されるアプリケーションのプロファイルとして決定するためのアプリケーションプロファイル部と、
前記一以上のハンドオーバに関連し、かつ、オペレーショナルコンテクストに従うハンドオーバ決定メカニズムを、前記ハンドオーバを実行する前記移動通信環境のサブシステムにプロアクティブにデプロイするためのプロアクティブデプロイメント部とを
有するハンドオーバ支援装置。
【請求項２３】
前記デプロイされたハンドオーバ決定メカニズムを使用して、一以上の新規アクセスポイントを前記移動機に対して決定するためのアクセスポイント決定部をさらに有することを特徴とする請求項２２に記載のハンドオーバ支援装置。
【請求項２４】
前記コンテクスト決定部が、前記移動機の現在位置をオペレーショナルコンテクストとして決定するための位置付け部を有することを特徴とする請求項２２又は２３に記載のハンドオーバ支援装置。
【請求項２５】
前記コンテクスト決定部が、前記移動機の移動をオペレーショナルコンテクストとして予測するための移動予測部をさらに有することを特徴とする請求項２２ないし２４のいずれか一つに記載のハンドオーバ支援装置。
【請求項２６】
移動経路に従って、前記移動予測部が前記移動機の移動を予測することを特徴とする請求項２６に記載のハンドオーバ支援装置。
【請求項２７】
移動速度に従って、前記移動予測部が前記移動機の移動を予測することを特徴とする請求項２５又は２６に記載のハンドオーバ支援装置。
【請求項２８】
前記アプリケーションプロファイル部が、映像-、静止画像-、オーディオ-、テクスト-、及び、スピーチ-アプリケーションを含むグループに関連するアプリケーションのプロファイルを決定することを特徴とする請求項２２に記載のハンドオーバ支援装置。
【請求項２９】
前記アプリケーションプロファイル部が、インタラクティブ-、ポイントツーポイント-、単方向-及び、マルチポイント-アプリケーションを含むグループに関連するアプリケーションのプロファイルを決定することを特徴とする請求項２２に記載のハンドオーバ支援装置。
【請求項３０】
前記コンテクスト決定部が、前記移動機のオペレーショナルコンテクストを一以上の移動機ユーザのプロファイルとして決定するためのユーザプロファイル部をさらに有することを特徴とする請求項２２ないし２９のいずれか一つに記載のハンドオーバ支援装置。
【請求項３１】
前記アクセスポイント決定部が、一以上の候補アクセスポイントを前記ハンドオーバ決定メカニズムの入力として識別するための候補アクセスポイント決定部を有することを特徴とする請求項２７ないし３０のいずれか一つに記載のハンドオーバ支援装置。
【請求項３２】
既存のハンドオーバメカニズムを使用して、前記候補アクセスポイント決定部が前記一以上の候補アクセスポイントを識別することを特徴とする請求項３１に記載のハンドオーバ支援装置。
【請求項３３】
動的基準に従って、前記候補アクセスポイント決定部が候補アクセスポイントをランク付けすることを特徴とする請求項３１又は３２に記載のハンドオーバ支援装置。
【請求項３４】
信号強度、帯域幅、サポートするアプリケーション、サービスの質、ネットワークの使用量、電力消費量を含むグループから選択された動的基準に従って、前記候補アクセスポイント決定部が候補アクセスポイントをランク付けすることを特徴とする請求項３３に記載のハンドオーバ支援装置。
【請求項３５】
前記コンテクスト決定部が、ハンドオーバ種別を選択するためのハンドオーバ種別決定部をさらに有することを特徴とする請求項２２ないし３２のいずれか一つに記載のハンドオーバ支援装置。
【請求項３６】
前記ハンドオーバ種別決定部がネットワーク支援ハンドオーバを選択することを特徴とする請求項３５に記載のハンドオーバ支援装置。
【請求項３７】
前記ハンドオーバ種別決定部が移動機支援ハンドオーバを選択することを特徴とする請求項３５に記載のハンドオーバ支援装置。
【請求項３８】
前記ハンドオーバ種別決定部がネットワーク支援ハンドオーバ／移動機支援ハンドオーバの組み合わせを選択することを特徴とする請求項３５に記載のハンドオーバ支援装置。
【請求項３９】
前記プロアクティブデプロイメント部が、前記一以上の新規アクセスポイントを前記移動機に対して決定することを達成するコードデータを転送することによって、前記ハンドオーバ決定メカニズムをデプロイすることを特徴とする請求項２２ないし３８のいずれか一つに記載のハンドオーバ支援装置。
【請求項４０】
前記プロアクティブデプロイメント部が、前記一以上の新規アクセスポイントに対して前記基準を転送することによって、前記ハンドオーバ決定メカニズムをデプロイすることを特徴とする請求項２２ないし３９のいずれか一つに記載のハンドオーバ支援装置。
【請求項４１】
前記プロアクティブデプロイメント部が、データ構造に従う前記基準を転送することを特徴とする請求項４０に記載のハンドオーバ支援装置。
【請求項４２】
関連するものがない場合に、前記プロアクティブデプロイメント部が、前記ハンドオーバ決定メカニズムをアンデプロイすることを特徴とする請求項２２ないし４１のいずれか一つに記載のハンドオーバ支援装置。
【請求項４３】
前記ハンドオーバが、GSM、PDC、GPRS、PPP、HSCSD、WLAN、HiperLAN、IrDa、Bluetooth、IS-45、IS-95、IMT-2000標準規格を含むグループから選択された一つの標準規格にしたがって支援されることを特徴とする請求項２２ないし４０のいずれか一つに記載のハンドオーバ支援装置。
【請求項４４】
移動通信装置の内部メモリに直接ロードできるコンピュータプログラムであって、移動通信装置のプロセッサで実行されるときに、請求項１ないし２１のいずれか一つの方法の前記ステップを実行するソフトウェアコード部分を有するコンピュータプログラム。
【手続補正２】
【補正対象書類名】明細書
【補正対象項目名】０００８
【補正方法】変更
【補正の内容】
【０００８】
本発明によれば、この課題は、アクセスポイントを複数含む移動通信環境におけるアクセスポイントに対して一以上のハンドオーバを支援する請求項１の特徴を有する方法により達成される。
【国際調査報告】
2005536910.tif 000019
2005536910.tif 000020
2005536910.tif 000021